(57)【特許請求の範囲】
【請求項１】
２個のプーリの間に取付けた側面支持ベルトを、その上部が回転方向に向かってその間隔が狭くなるように２本の側面支持ベルトを並列して、容器側面を挟んで送る挟持ベルトを形成し、前記両側面支持ベルト間に、これより低い位置に容器底面を支える底面支持ベルトを配置すると共に、この底面支持ベルトの前記両側面支持ベルトの間隔が広い端部側の上方のケースに、空き缶や瓶、コップなどの空の飲料水容器を投入する投入ガイドを取付け、両側面支持ベルトの間隔が狭くなる挟持ベルトの端部側下方に、残渣受樋を配置し、この残渣受樋の下方に、回収した残渣を貯める残渣回収容器を設け、更に前記残渣受樋の前方に容器回収箱を設置したことを特徴とする容器残渣排出装置。
【請求項２】
側面支持ベルトのプーリ直径を、底面支持ベルトのプーリ直径より大きく形成して、側面支持ベルトの回転速度を、底面支持ベルトの回転速度より速くしたことを特徴とする請求項１記載の容器残渣排出装置。
【請求項３】
側面支持ベルトにクッション材を取付けて、空き缶や空き瓶の容器側面を弾性的に支持したことを特徴とする請求項１または２記載の容器残渣排出装置。
【請求項４】
両側面支持ベルトの間隔が狭くなる挟持ベルトの端部側と、この下方に設置した残渣受樋との間に、網状のガイドを設けたことを特徴とする請求項１または２記載の容器残渣排出装置。
【請求項５】
両側面支持ベルトのプーリと、底面支持ベルトのプーリを同軸に支持したことを特徴とする請求項１記載の容器残渣排出装置。
【請求項６】
請求項１記載の容器残渣排出装置を、底面支持ベルトの進行方向と直交する方向に複数台並設し、これら各装置の側面支持ベルトのプーリと、底面支持ベルトのプーリを同軸に支持して、１台のモータに接続したことを特徴とする容器残渣排出装置。
【請求項７】
側面支持ベルトと底面支持ベルトとを駆動するモータのスイッチに、ケースに取付けた人体感知センサーまたはリミットスイッチとタイマーを接続したことを特徴とする請求項１または６記載の容器残渣排出装置。
【発明の詳細な説明】
【０００１】
【発明の属する技術分野】
本発明は空の飲料容器を回収する回収箱に設けた残渣排出装置に関するものである。
【０００２】
【従来の技術】
一般にジュースや天然水などの清涼飲料やコーヒーなどの飲料水は、ペットボトルやアルミ缶、スチール缶、ガラス瓶、紙コップなどの容器に入れて販売されている。これら飲料水は一般に自動販売機で販売され、その横に空き容器回収箱が設置され、飲料水を飲んだ後の空き容器は、回収箱に捨てている。またコンビニエンスストアなどでは、店の前に空き容器の回収箱が設置され、ここに空き容器を捨てている。
【０００３】
この飲料水の容器は、容器包装リサイクル法に基づいて、回収しリサイクルすることが義務付られている。このため回収した空き容器は、処理業者が引き取って、材料別に分別して、再利用している。この処理費用は空き容器の回収箱を設置している業者が負担しているが、容器の中に飲み残しの残渣が残っていると、容器の重量が増えてその分、負担する処理費用が高くなる問題がある。
【０００４】
また処理業者が引き取ってきた空き容器は、手作業により容器に残っている残渣を排出してから、材料別に分別している。このため、残渣の排出に多くの人手がかかる上、回収した残渣の量が多いため、浄化処理設備を設けて処理してからでないと下水に排出できず、この設備費も高価で全体の処理コストが高くなる問題があった。
【０００５】
【発明が解決しようとする課題】
本発明は上記問題を改善し、構造が簡単で小型であり、空の飲料容器を回収箱に捨てる段階で、容器に残っている残渣を自動的に排出して、容器と残渣を分けて容器のリサイクルコストを低減させる容器残渣排出装置を提供するものである。
【０００６】
【課題を解決するための手段】
本発明の請求項１記載の容器残渣排出装置は、２個のプーリの間に取付けた側面支持ベルトを、その上部が回転方向に向かってその間隔が狭くなるように２本の側面支持ベルトを並列して、容器側面を挟んで送る挟持ベルトを形成し、前記両側面支持ベルト間に、これより低い位置に容器底面を支える底面支持ベルトを配置すると共に、この底面支持ベルトの前記両側面支持ベルトの間隔が広い端部側の上方のケースに、空き缶や瓶、コップなどの空の飲料水容器を投入する投入ガイドを取付け、両側面支持ベルトの間隔が狭くなる挟持ベルトの端部側下方に、残渣受樋を配置し、この残渣受樋の下方に、回収した残渣を貯める残渣回収容器を設け、更に前記残渣受樋の前方に容器回収箱を設置したことを特徴とするものである。
【０００７】
請求項２記載の容器残渣排出装置は、側面支持ベルトのプーリ直径を、底面支持ベルトのプーリ直径より大きく形成して、側面支持ベルトの回転速度を、底面支持ベルトの回転速度より速くしたことを特徴とするものである。請求項３記載の容器残渣排出装置は、側面支持ベルトにクッション材を取付けて、空き缶や空き瓶の容器側面を弾性的に支持したことを特徴とするものである。
【０００８】
請求項４記載の容器残渣排出装置は、両側面支持ベルトの間隔が狭くなる挟持ベルトの端部側と、この下方に設置した残渣受樋との間に、網状のガイドを設けたことを特徴とするものである。請求項５記載の容器残渣排出装置は、両側面支持ベルトのプーリと、底面支持ベルトのプーリを同軸に支持したことを特徴とするものである。
【０００９】
請求項６記載の容器残渣排出装置は、請求項１記載の容器残渣排出装置を、底面支持ベルトの進行方向と直交する方向に複数台並設し、これら各装置の側面支持ベルトのプーリと、底面支持ベルトのプーリを同軸に支持して、１台のモータに接続したことを特徴とするものである。更に請求項７記載の容器残渣排出装置は、側面支持ベルトと底面支持ベルトとを駆動するモータのスイッチに、ケースに取付けた人体感知センサーまたはリミットスイッチとタイマーを接続したことを特徴とするものである。
【００１０】
【発明の実施の形態】
以下本発明の実施の一形態を図１ないし図６を参照して詳細に説明する。この容器残渣排出装置は、図１に示すように２本の側面支持ベルト１Ａ、１Ｂで構成された挟持ベルト２の間に底面支持ベルト３が配置されている。２本の側面支持ベルト１Ａ、１Ｂは、それぞれ２個のプーリ４Ａ、４Ｂに掛け回され、更にこの側面支持ベルト１Ａ、１Ｂは、その上部が回転方向に向かってその間隔が狭くなるように並設されている。底面支持ベルト３は、前記プーリ４Ａ、４Ｂより直径が小さなプーリ５Ａ、５Ｂに掛け回され、その上部は、側面支持ベルト１Ａ、１Ｂの上部より低い位置に設置されている。
【００１１】
７はケースで、この内側に支持フレーム８が設けられ、この支持フレーム８の上に、図１に示すように軸受９、９が取付けられ、ここに従動側の回転軸１０Ａ、と駆動側の回転軸１０Ｂが支持されている。従動側の回転軸１０Ａには前記側面支持ベルト１Ａ、１Ｂのプーリ４Ａ、４Ａと、底面支持ベルト３のプーリ５Ａが同軸に支持されフリーに回転するようになっている。
【００１２】
また駆動側の回転軸１０Ｂは、ギアードモータ１２に接続されていると共に、前記側面支持ベルト１Ａ、１Ｂのプーリ４Ｂ、４Ｂと、底面支持ベルト３のプーリ５Ｂが同軸に支持され、ギアードモータ１２により一体に回転するようになっている。また側面支持ベルト１Ａ、１Ｂと底面支持ベルト３には、図３に示すようにその表面にクッションベルト１４が接合され、表面に弾性を持たせている。
【００１３】
また図２に示すように、挟持ベルト２の一端の駆動側の下方に、金網で形成された網状ガイド１５が傾斜して取付けられ、その一端が支持フレーム８に回動自在に支持されていると共に、先端側がコイルスプリング１６で弾性的に吊り下げられている。またこの網状ガイド１５の下方には、残渣受樋１７が設けられ、この底部はホース１８で、残渣を貯める残渣回収容器１９に連通している。また残渣回収容器１９の横の挟持ベルト２の下方には、空き缶２０を回収する容器回収箱２１が設置されている。
【００１４】
挟持ベルト２の一端の従動側の上方に位置するケース７の上面には、上部に容器投入口２２を開口した、円筒状の投入ガイド２３が取付けられている。この投入ガイド２３の中心は、支持ベルト３のプーリ５Ａの中心よりやや後方にずらせて取付けられている。また容器投入口２２の近傍にはキャップ投入口２４が設けられ、この下方のケース７内にキャップ２５を回収するキャップ回収箱２６が設置されている。
【００１５】
またケース７の前面に赤外線などによる人体感知センサー２８が取付けられ、これは図１に示すように、制御装置２９に設けたタイマー３０とギアードモータ１２のスイッチ３１に接続され、人が近付くと所定の時間、ギアードモータ１２が駆動するようになっている。
【００１６】
次に上記構成の容器残渣排出装置の動作について説明する。缶入りジュースなどを飲んだ人が、空き缶２０を捨てるために容器残渣排出装置に近付いてくると、これを人体感知センサー２８が検知して、制御装置２９のタイマー３０が作動し、スイッチ３１が入ってギアードモータ１２が回転し始める。ギアードモータ１２が回転すると、これに接続した駆動側の回転軸１０Ｂが回転し、これに接続したプーリ４Ｂ、５Ｂが回転する。この回転により挟持ベルト２の側面支持ベルト１Ａ、１Ｂと底面支持ベルト３が同時に回転する。
【００１７】
空き缶２０を容器投入口２２から投入すると、円筒状の投入ガイド２３でガイドされながら底面支持ベルト３の上に落下する。この底面支持ベルト３は図３に示すように表面にクッションベルト１４が取付けられ、更に図１に示すように投入ガイド２３の中心は、支持ベルト３のプーリ５Ａの中心よりやや後方にずらせて取付けられているので、落下した空き缶２０の底部片側だけがクッションベルト１４に当たって大きく跳ねず、この上で受け止められる。またこの時、空き缶２０が左右に傾いても、両側に挟持ベルト２の側面支持ベルト１Ａ、１Ｂがあるので、傾いた状態で支持される。
【００１８】
空き缶２０は回転している底面支持ベルト３に乗って、前方に移動していくが、図１に示すように、側面支持ベルト１Ａ、１Ｂの間隔が進行方向に沿って次第に狭くなっているので、図４に示すように、空き缶２０の側面が側面支持ベルト１Ａ、１Ｂのクッションベルト１４、１４で挟まれる。側面支持ベルト１Ａ、１Ｂのプーリ４Ａ、４Ｂの直径は、底面支持ベルト３のプーリ５Ａ、５Ｂの直径より大きく形成されているので、側面支持ベルト１Ａ、１Ｂが底面支持ベルト３より回転速度が速く、空き缶２０は次第に進行方向に傾いて挟持される。
【００１９】
このように進行方向に傾いて挟持された空き缶２０が、駆動側のプーリ５Ｂの所まで搬送されてくると、図５に示すように側面支持ベルト１Ａ、１Ｂが１８０度回転し、これに挟持されている空き缶２０も、上部が前方に傾いたまま反転し、この時、缶内に残っている残渣３３が飲み口から排出される。
【００２０】
なお、側面支持ベルト１Ａ、１Ｂが底面支持ベルト３より回転速度が遅い場合、飲み口が進行方向と反対に位置した状態で、側面支持ベルト１Ａ、１Ｂに挟持されると、空き缶２０は進行方向と反対に傾いて挟持され、駆動側のプーリ５Ｂの所で回転しても缶内に残っている残渣３３が、飲み口から排出されない場合がある。
【００２１】
空き缶２０から排出された残渣３３は傾斜して取付けた網状ガイド１５を通過して、この下方に設けた残渣受樋１７で受けてから、この底部に取付けたホース１８を通して残渣回収容器１９に送られて、ここに貯められる。また空き缶２０の直径が小さく、挟持ベルト２から外れて落下したような場合には、網状ガイド１５が傾斜しているので前方に滑って落ちるようになっている。
【００２２】
残渣３３を排出した空き缶２０は、挟持ベルト２に挟持されたまま進行していくが、今度は側面支持ベルト１Ａ、１Ｂの間隔が次第に広がって来るので、図２に示すように、クッションベルト１４、１４の間隔が空き缶２０の直径より大きくなった所で外れて自然に落下し、この下方に設置した容器回収箱２１に回収される。この時点で、タイマー３０によりスイッチ３１が切られてギアードモータ１２が停止する。
【００２３】
また図６に示す空きペットボトル３４を捨てる場合には、先ずキャップ２５を取り外して、図２に示すキャップ投入口２４から投入すると、この下方に設けたキャップ回収箱２６に落下して回収される。キャップ２５を外した空きペットボトル３４を、前記と同様に容器投入口２２から投入すると、底面支持ベルト３で受け止められてから、前方に搬送されながら側面支持ベルト１Ａ、１Ｂで、口部３５が前方に傾斜した状態で両側から挟持される。
【００２４】
このように傾斜した状態で挟持された空きペットボトル３４が、駆動側のプーリ５Ｂの所まで搬送されてくると、図６に示すように１８０度回転して、ボトル内に残っている残渣３３が、口部３５から排出される。更に回転していくと口部３５が網状ガイド１５に当たり、網状ガイド１５は先端がコイルスプリング１６で上下に回動自在に支持されているので、網状ガイド１５で上下に揺すられながら残渣３３が速やかに排出される。更に挟持されたまま進行していくと、側面支持ベルト１Ａ、１Ｂの間隔が次第に広がって来るので、ここで外れて自然に落下し、容器回収箱２１に回収される。
【００２５】
従って空き缶２０を捨てる時に、残渣３３と空き缶２０を分離し、残渣３３を別に回収するのでその量も少なく、本発明の装置を設置している事業所で、生活雑排水として下水に流すことができる。このため残渣３３のない空き缶２０だけを処理業者が引き取るので事業所が支払う処理費用を大幅に低減することができる。また処理業者も引き取ってきた空き缶２０に残渣３３が残っていないので、これを排出する手間や、残渣を浄化する浄化処理設備が不要となるので、処理コストを安くすることができる。
【００２６】
また図７および図８は本発明の他の実施の形態を示すもので、３本の側面支持ベルト１Ａ、１Ｂ、１Ｃが並列して配置され、中間の側面支持ベルト１Ｂは直線状に形成され、両側の側面支持ベルト１Ａ、１Ｃは、その上部が回転方向に向かって中間の側面支持ベルト１Ｂとの間隔が狭くなるように斜めに配置されて２個の挟持ベルト２Ａ、２Ｂが形成されている。
【００２７】
また側面支持ベルト１Ａ、１Ｂ、１Ｃの間には、図８に示すように、プーリ５Ａ、５Ｂの直径が小さな底面支持ベルト３Ａ、３Ｂが配置され、その上部は、側面支持ベルト１Ａ、１Ｂ、１Ｃの上部より低い位置に設置されている。また従動側の回転軸１０Ａには前記側面支持ベルト１Ａ、１Ｂ、１Ｃのプーリ４Ａと、底面支持ベルト３Ａ、３Ｂのプーリ５Ａが同軸に取付けられている。また駆動側の回転軸１０Ｂは、ギアードモータ１２に接続されていると共に、前記側面支持ベルト１Ａ、１Ｂ、１Ｃのプーリ４Ｂと、底面支持ベルト３Ａ、３Ｂのプーリ５Ｂが同軸に支持され、１台のギアードモータ１２により一体に回転するようになっている。
【００２８】
この構造の容器残渣排出装置は、空き缶２０を容器投入口２２Ａから投入して、図８に示すように支持ベルト３Ａで支持しながら挟持ベルト２Ａで挟持させる。また空き瓶３６は、投入口２２Ｂから投入して支持ベルト３Ｂで支持しながら挟持ベルト２Ｂで挟持させる。この状態で、進行方向に搬送して反転させて残渣３３を排出した後、別々の容器回収箱２１で分別回収するようにしたものである。
【００２９】
なお上記説明では空き缶２０と空き瓶３６を別個に処理する装置について示したが、挟持ベルトと底面支持ベルトを３本づつ配置して、空き缶２０と空き瓶３６と空きペットボトル３４を別個に処理するようにしても良い。また本発明は紙コップについても同様に残渣３３を排出でき、特に氷の入った空き紙コップから氷を分離する場合にも効果的である。
【００３０】
また上記説明では挟持ベルト２のプーリ４Ａ、４Ｂと底面支持ベルト３のプーリ５Ａ、５Ｂを回転軸１０Ａ、１０Ｂに同軸に取付けた場合について示したが、底面支持ベルト３のプーリ５Ａ、５Ｂを別個の回転軸に取付けた構造でも良い。また網状ガイド１５として、金網を用いた場合について示したが、ラス材や孔明きパネルで構成したものでも良い。またこの網状ガイド１５は、空き容器が残渣受樋１７に落下する恐れがない場合には省いても良い。
【００３１】
また上記説明では人体感知センサー２８を設けて人が近付いたら駆動するようにしたが、投入ガイド２３にリミットスイッチやフォトセンサーを取付けて、空き容器が投入されたら駆動するようにした構造でも良い。また太陽熱パネルと、バッテリーを設けて、電源のない公園などに設置する構造としても良い。なおこの場合には、空き容器が投入される度に、挟持ベルト２と底面支持ベルト３を１回転させず、空き容器が投入されたら２０数センチメートル程度だけ移動させ、同時に複数の空き容器を保持した状態にして、新たな空き容器が投入されたら、先頭の空き容器から順次、残渣３３を排出するようにすれば、使用する電力を少なくすることができる。
【００３２】
【発明の効果】
以上説明した如く本発明に係る請求項１記載の容器残渣排出装置によれば、小型で構造も簡単であり、飲料水の自動販売機の横などに設置でき、空き容器を捨てる時に、空き容器から残渣を分離し、残渣だけを別に回収するのでその量も少なく、生活雑排水として下水に流すことができると共に、残渣のない空き容器だけを処理業者が引き取るので処理費用を大幅に低減させることができる。また処理業者も引き取ってきた空き容器に残渣が残っていないので、これを排出する手間や、残渣を浄化する浄化処理設備が不要となり、処理コストを安くすることができる。
【００３３】
また請求項２記載の容器残渣排出装置によれば、挟持ベルトを形成する側面支持ベルトのプーリ直径を、底面支持ベルトのプーリ直径より大きく形成して、側面支持ベルトの回転速度を、底面支持ベルトの回転速度より速くしたので、投入した空き容器の上部は、進行方向に傾斜した状態で挟持され、反転する時に速やかに残渣を排出することができる。
【００３４】
また請求項３記載の容器残渣排出装置によれば、側面支持ベルトにクッション材を取付けて、空き缶や空き瓶の容器側面を弾性的に支持するので、容器の直径や形状、重量が異なっても確実に挟持することができる。
【００３５】
また請求項４記載の容器残渣排出装置によれば、両側面支持ベルトの間隔が狭くなる挟持ベルトの端部側と、この下方に設置した残渣受樋との間に、網状のガイドを設けたので、万一、空き容器が外れても残渣受樋に落下するのを防止できる。
【００３６】
また請求項５記載の容器残渣排出装置によれば、両側面支持ベルトのプーリと、底面支持ベルトのプーリを同軸に支持したので、部品点数が少なく構造が簡素化され、１台のモータで駆動させることができる。
【００３７】
また請求項６記載の容器残渣排出装置によれば、請求項１記載の容器残渣排出装置を、底面支持ベルトの進行方向と直交する方向に複数台並設し、これら各装置の側面支持ベルトのプーリと、底面支持ベルトのプーリを同軸に支持して、１台のモータに接続したので、簡単な構造で、空き缶と瓶、ペットボトルなどを種類別に分別して回収することができる。
【００３８】
また請求項７記載の容器残渣排出装置によれば、側面支持ベルトと底面支持ベルトとを駆動するモータのスイッチに、ケースに取付けた人体感知センサーまたはリミットスイッチとタイマーを接続したので、空き容器を捨てた時にだけ駆動し、電力の省エネルギー化を図ることができる。
【図面の簡単な説明】
【図１】本発明の実施の一形態による容器残渣排出装置の水平断面図である。
【図２】図１に示す容器残渣排出装置の垂直断面図である。
【図３】容器残渣排出装置の空き缶投入部分を示す断面図である。
【図４】容器残渣排出装置の空き缶反転部分を示す断面図である。
【図５】容器残渣排出装置の空き缶反転部分を示す側面図である。
【図６】容器残渣排出装置の空きペットボトルの反転部分を示す側面図である。
【図７】本発明の異なる他の実施の形態による挟持ベルトを２本設けた容器残渣排出装置の平面図である。
【図８】図７に示す容器残渣排出装置の、空き缶と空き瓶の反転部分を示す断面図である。
【符号の説明】
１Ａ、１Ｂ側面支持ベルト
２    挟持ベルト
３    底面支持ベルト
４Ａ、４Ｂプーリ
５Ａ、５Ｂプーリ
７    ケース
８    支持フレーム
１０Ａ、１０Ｂ回転軸
１２  ギアードモータ
１４  クッションベルト
１５  網状ガイド
１７  残渣受樋
１９  残渣回収容器
２０  空き缶
２１  容器回収箱
２２  容器投入口
２３  投入ガイド
２４  キャップ投入口
２６  キャップ回収箱
２８  人体感知センサー
３０  タイマー
３１  スイッチ
３３  残渣
３４  空きペットボトル
３６  空き瓶
【図１】
0003651797.tif 000002
【図２】
0003651797.tif 000003
【図３】
0003651797.tif 000004
【図４】
0003651797.tif 000005
【図５】
0003651797.tif 000006
【図６】
0003651797.tif 000007
【図７】
0003651797.tif 000008
【図８】
0003651797.tif 000009